(57)【要約】【課題】或る地域に特有の番組をたやすく検索可能とする放送受信装置。【解決手段】地域の放送局を含む複数の放送局の番組情報を取得可能な放送受信装置において、地域に特有の番組のみを検索し得る検索手段を備え、検索手段は、複数の放送局の番組名を比較し、番組名が一致しない番組が地域に特有の番組であると判定する。また、放送受信装置における検索手段は、同一の番組名の一致率が高い放送局同士を探し出し、探し出した放送局同士で別の番組名が存在する場合に、別の番組名の番組は各地域に特有の番組であると判定する。また、検索手段は、キー局と称される複数の在京局の番組名を取得し、取得した番組名と地域の放送局の番組名とを比較し、複数在京局の番組名とは異なる地域放送局の番組名が存在する場合、異なる番組名の番組は各地域に特有の番組であると判定する。【選択図】図４
2007129627.tif 000002
【特許請求の範囲】
【請求項１】
地域の放送局を含む複数の放送局の番組情報を取得可能な放送受信装置において、
前記地域に特有の番組のみを検索し得る検索手段を備えることを特徴とする放送受信装置。
【請求項２】
請求項１において、
前記検索手段は、前記複数の放送局の番組名を比較し、前記番組名が一致しない番組が前記地域に特有の番組であると判定する
ことを特徴とする放送受信装置。
【請求項３】
請求項２において、
前記検索手段による番組名の比較を行う際に、前記番組名の文字コードを統一した形式で比較を行うことを特徴とする放送受信装置。
【請求項４】
請求項２または３において、
前記検索手段による番組名の比較を行う際に、前記番組名中の特定の文字、記号または文字列を除外して比較を行うことを特徴とする放送受信装置。
【請求項５】
請求項２または３において、
前記検索手段による番組名の比較を行う際に、前記番組名中の実質的番組名とは明らかに異なる文字、記号または文字列を除外して比較を行うことを特徴とする放送受信装置。
【請求項６】
請求項１ないし５のいずれか１つの請求項において、
前記検索手段は、同一の番組名の一致率が高い放送局同士を探し出し、前記探し出した放送局同士で別の番組名が存在する場合に、前記別の番組名の番組は各地域に特有の番組であると判定することを特徴とする放送受信装置。
【請求項７】
請求項１ないし５のいずれか１つの請求項において、
前記検索手段は、前記複数放送局の内で系列の放送局同士を、同一系列局を示す番組情報中のＩＤを利用して判別し、前記判別された放送局同士で別の番組名が存在する場合に、前記別の番組名の番組は各地域に特有の番組であると判定することを特徴とする放送受信装置。
【請求項８】
請求項１ないし５のいずれか１つの請求項において、
前記検索手段は、キー局と称される複数の在京局の番組名を取得し、前記取得した番組名と地域の放送局の番組名とを比較し、前記複数在京局の番組名とは異なる前記地域放送局の番組名が存在する場合、前記異なる番組名の番組は各地域に特有の番組であると判定することを特徴とする放送受信装置。
【発明の詳細な説明】
【技術分野】
【０００１】
本発明は、番組検索機能を備えた放送受信装置に係わり、特に、地域の番組情報を取得可能な放送受信装置に関する。
【背景技術】
【０００２】
既に市場に出回っている一般的な放送受信装置には、番組検索としてジャンル名、イベント名、出演者名等で検索を行う機能が備わっている。また、放送受信装置のユーザの転居などにより居住地域が変更された場合に、放送受信装置に対して新たな居住地域に対応した地域設定やチャンネル設定を実施する技術は、例えば特許文献１に提案されている。この特許文献１に示す技術は、地域で視聴できる放送局を従来感覚で容易に検索するためのものであって、地域の番組を検索するシステムを提案するものではない。
【特許文献１】特開２００４−２０１０２１号公報
【発明の開示】
【発明が解決しようとする課題】
【０００３】
ユーザーが望む番組を検索する手段には、前述した一般的な放送受信装置に備わった様々な手法が提案されているが、その手法を駆使しても、地域に限定した番組を検索するには不向きであり、検索は困難である。
【０００４】
また、或る地域の放送局を受信可能にしたとしても、その地域の情報が放送される地域番組を提示することが出来なければ、効果的な広告効果が望めない場合も多々あり。
【０００５】
本発明の目的は、或る地域に特有の番組をたやすく検索可能とする放送受信装置を提供することにある。
【課題を解決するための手段】
【０００６】
前記課題を解決するために、本発明は主として次のような構成を採用する。  
地域の放送局を含む複数の放送局の番組情報を取得可能な放送受信装置において、前記地域に特有の番組のみを検索し得る検索手段を備え、前記検索手段は、前記複数の放送局の番組名を比較し、前記番組名が一致しない番組が前記地域に特有の番組であると判定する構成とする。
【０００７】
また、前記放送受信装置において、前記検索手段は、同一の番組名の一致率が高い放送局同士を探し出し、前記探し出した放送局同士で別の番組名が存在する場合に、前記別の番組名の番組は各地域に特有の番組であると判定する構成とする。
【０００８】
また、前記放送受信装置において、前記検索手段は、前記複数放送局の内で系列の放送局同士を、同一系列局を示す番組情報中のＩＤを利用して判別し、前記判別された放送局同士で別の番組名が存在する場合に、前記別の番組名の番組は各地域に特有の番組であると判定する構成とする。
【０００９】
また、前記放送受信装置において、前記検索手段は、キー局と称される複数の在京局の番組名を取得し、前記取得した番組名と地域の放送局の番組名とを比較し、前記複数在京局の番組名とは異なる前記地域放送局の番組名が存在する場合、前記異なる番組名の番組は各地域に特有の番組であると判定する構成とする。
【発明の効果】
【００１０】
本発明によると、ユーザーの地域に限定した番組を探したいという欲求を満たすことが可能となり、ユーザビリティが向上する。また、地域限定の番組を検索可能とすることで、地域に根ざした放送を探し易くなり、番組を見てもらう確立が高くなって広告効果も上げることができる。
【発明を実施するための最良の形態】
【００１１】
本発明の実施形態に係る放送受信装置について、或る地域に限定した放送番組を提示する仕方を図１〜図４を参照しながら以下説明する。本実施形態の具体例として、県境に位置する場所で地上デジタル放送を受信し、２つの県の放送が受信可能な場合を考える。その地方にだけ放送されている番組を探し出すためには、同一の放送が存在するかどうかを見極める必要があり、そのためには番組名を比較する必要がある。番組名を取得する手段としては、ＳＩと呼ばれる番組情報の中のＥＩＴ（Ｅｖｅｎｔ  Ｉｎｆｏｒｍａｔｉｏｎ  Ｔａｂｌｅ）に含まれている、短形式イベント記述子に記載されている番組名を利用する方法がある。番組名の取得方法は、他の番組表サービスを利用しても良い。
【００１２】
本実施形態では、図１の様な番組表が取得出来た場合を考える。同一放送においても番組名のエンコードが違う場合があるので、文字列を比較する為に文字コードを統一する必要がある。この時点で、複数の局で同じ番組名が記載されていない番組は、図１において、番組１１、番組１２、番組２３、番組３０、番組３１、番組３２、番組３３、番組４０、番組４１、番組５０、番組５１、番組６０、番組６１、番組４０サブタイトル、番組４１（再）である。
【００１３】
また、同一番組であることをより正確に判定する為に、再放送、放送回数等の番組名（実質的番組名）以外の特定（または特殊）の文字、もしくは文字列（図２の例で云えば、放送局７の「（再）」のこと）を除いて比較すると（図２の例で云えば、放送局４の「番組４１」と放送局７の「番組４１」を比較する）、図２に示すように番組４１と、番組４１（再）が同じ番組と判断される。例えば、検索手段によって比較の対象となる形式的な番組名として、「イタリア北部旅行」と「イタリア北部旅行（再放送）」とが２つの放送局に存在した場合に、これらの番組は同一番組であるにも関わらず（実質的な番組名は同一）、形式的な比較では異なる番組であると判定するので、形式的な番組名の中から（再放送）や（再）等の番組名とは明らかに異なる文字、記号または文字列を除いて比較するのである。この際、どのような文字または文字列を除外するのかは予めテーブルでリストアップしておいても良い。
【００１４】
さらに、サブタイトルを除いた文字列で比較することでも同一番組をより正確に判定することが可能となる。これにより図３の番組４０と番組４０サブタイトルが同じ番組と判断される（図３の例で、放送局４の「番組４０」と放送局７の「番組４０サブタイトル」とは同一番組である）。例えば、番組名として、「ビートルズの思い出」と「ビートルズの思いで−日本公演版−」とを比較する場合、サブタイトルの「−日本公演版−」を除いて比較するのである。何がサブタイトルかは判断基準をルール化してそれに基づいて決めればよい。
【００１５】
複数の放送局における番組名を比較する過程で、同一番組が存在することを提示することで、同一番組が存在しない番組を目立たせる効果も得られる。以上の手法により、同一の番組が存在するかどうかの確認は可能である。しかし、この検索方法は複数放送局の全ての番組をチェックする必要があるため効率が悪い。
【００１６】
そこで、同一番組の一致率が高い放送局同士を探し出すことで、対応する番組を見つけやすくする。番組名をサービス毎に比較して行き、一致率の高い放送局を同系列放送局と判断する手法がある。具体的には、図３の放送局２と放送局５は、同一番組の一致率が高く、同系列の放送を流している局で有る可能性が高いので、同一番組が別時間帯で流れている等の判断も可能である。
【００１７】
また、他の手法としてはＳＩ中の各種ＩＤを比較する方法がある。中でもＢＩＴ（Ｂｒｏａｄｃａｓｔｅｒ  Ｉｎｆｏｒｍａｔｉｏｎ  Ｔａｂｌｅ）に含まれる拡張ブロードキャスタ記述子内の同一系列局を示す  ＡｆｆｉｌｉａｔｉｏｎＩＤ  を利用する方法がある。このＩＤが一致する放送局は系列局であるため、同じ番組を放送している可能性が高い。また、ＮＨＫ総合、ＮＨＫ教育に限ってはＳｅｒｖｉｃｅＩＤ内に含まれる地域事業者番号が０番であればＮＨＫ総合、１番であればＮＨＫ教育であることが決まっているので、地域事業者番号を利用する方法が確実である。
【００１８】
以上のようにして同一番組を放送していると推測される放送局を探し出す。そして、その中で同一放送時間にも拘らず、別の番組が放送されている部分について、その地域に特有の番組であると判断する。例えば図３の放送局２と放送局５は、系列局の放送を流していると予想されるが、番組２３の時間帯には、番組５０と番組５１が放送されているため、これらの番組は地域に限定の放送であると判断することが可能である。
【００１９】
地域に特有の番組は通常の番組表上で、他の番組と差を付けた表示をすることでユーザーへの提示を行うことも考える。地域限定の放送という検索条件を付けることで検索結果画面に、上記の番組を検索結果として表示することも可能である。
【００２０】
また、番組情報の取得範囲を広げることで地域限定番組の検出精度を上げることもできる。ネットワークを利用し、全国の番組表を取得可能とした場合を想定する。現在の放送の殆どはキー局と呼ばれる在京局の放送の再配信であることから、ＮＨＫ総合・東京、ＮＨＫ教育・東京、日本テレビ、ＴＢＳ、フジテレビジョン、テレビ朝日、テレビ東京の番組表を取得し、そこに記載されていない番組が他の地方で存在する場合には、比較的狭い地域に限定された番組であるということが判別可能である。
【００２１】
図４で放送局１、放送局２、放送局３、放送局４をキー局とすると、キー局の放送以外の番組を地域限定番組と判断するため、地域に限定した番組は、番組５０、番組５１、番組６０、番組６１のみとなる。また逆に、在京局の番組表の中で他の地域で一致する番組が存在しない場合は、在京局限定の番組であると推測可能である。地方局においてはキー局と同じ番組を放送する場合でも、時間が違っている場合があるので、当日の同じ時刻の番組を比較するだけでなく、番組表データ全体を比較する必要がある。このシステムを利用すれば隣接地域の番組情報が取れない場合も、地域に限定した番組の検索が可能となる。
【００２２】
また、本実施形態に係る放送受信装置は、地上デジタル放送のみならず、ＢＳデジタル、ＣＳデジタル等の複数の番組を対象にしても有効である。
【００２３】
以上説明したように、様々な検索手法（ジャンル名や出演者名等による検索手法）が提供されている現在においても、その地方だけで放送されている番組を検索することは難しいが、本実施形態は、地方限定で放送されている番組を検索する手法、手段を提供するものであり、具体的には、視聴地域の番組表だけでなく、他の地域の番組表をも参照して地域間の番組の差を適切に評価することにより、或る地域に限定した放送番組を提示することが可能になる。また、キー局と呼ばれる在京局の番組表と比較することでその提示はさらに正確になる。
【００２４】
次に、本発明の実施形態に係る放送受信装置の種々構成例を列記すると次のようになる。複数の地域の番組情報を取得可能な受信機において、その地域に特有の番組のみを検索することを特徴とし、これによりユーザーはその地域でのみ視聴可能な番組を知ることが可能となり、ユーザビリティの向上を実現する。また、複数の地域の番組情報を取得可能で、その地域に特有の番組のみを検索することを特徴とする受信機において、番組名を比較することでその地域に特有の番組であることを判別する。これによりユーザーはその地域でのみ視聴可能な番組をより詳細に知ることが可能となり、ユーザビリティの向上を実現する。
【００２５】
さらに、複数の地域の番組情報を取得可能で、その地域に特有の番組のみを検索することを特徴とする受信機において、番組名の比較を行う際に、文字コードを揃える（文字コードの形式を統一する）ことで、その地域に特有の番組であることをより詳細に判別する。これによりユーザーはその地域でのみ視聴可能な番組をより詳細に知ることが可能となり、ユーザビリティの向上を実現する。また、複数の地域の番組情報を取得可能で、その地域に特有の番組のみを検索することを特徴とする受信機において、番組名の比較を行う際に、特定（または特殊）の文字もしくは文字列（例えば、番組名中のサブタイトル）を比較対照としないことで、その地域に特有の番組であることをより詳細に判別する。これによりユーザーはその地域でのみ視聴可能な番組をより詳細に知ることが可能となり、ユーザビリティの向上を実現する。また、複数の地域の番組情報を取得可能で、その地域に特有の番組のみを検索することを特徴とする受信機において、番組名の比較を行う際に、番組名以外の文字列（例えば、番組名以外の「再放送」等の文字列）を比較対照としないことで、その地域に特有の番組であることをより詳細に判別する。これによりユーザーはその地域でのみ視聴可能な番組をより詳細に知ることが可能となり、ユーザビリティの向上を実現する。
【００２６】
さらに、複数の地域の番組情報を取得可能で、その地域に特有の番組のみを検索することを特徴とする受信機において、同一番組名が多く含まれているサービスを比較することで、その地域に特有の番組であることをより詳細に判別する。これによりユーザーはその地域でのみ視聴可能な番組をより詳細に知ることが可能となり、ユーザビリティの向上を実現する。また、複数の地域の番組情報を取得可能で、その地域に特有の番組のみを検索することを特徴とする受信機において、系列番号が同じサービスを比較することで、その地域に特有の番組であることをより詳細に判別する。これによりユーザーはその地域でのみ視聴可能な番組をより詳細に知ることが可能となり、ユーザビリティの向上を実現する。また、複数の地域の番組情報を取得可能で、その地域に特有の番組のみを検索することを特徴とする受信機において、在京局の番組表と比較することで、その地域に特有の番組であることをより詳細に判別する。これによりユーザーはその地域でのみ視聴可能な番組をより詳細に知ることが可能となり、ユーザビリティの向上を実現する。
【図面の簡単な説明】
【００２７】
【図１】本発明の実施形態に係る放送受信装置で受信可能な放送局１〜放送局７の番組表を示す図である。
【図２】本実施形態に関する複数放送局で同一番組名を放送する番組表を示す図である。
【図３】同一番組を放送していると推測される放送局を探し出すための複数放送局の番組表を示す図である。
【図４】本実施形態に関する複数放送局でキー局と地方局の番組表を示す図である。
【図１】
2007129627.tif 000003
【図２】
2007129627.tif 000004
【図３】
2007129627.tif 000005
【図４】
2007129627.tif 000006